(57)【特許請求の範囲】
【請求項１】
排水中のゴミを捕集するための着脱可能な網かごと、この網かごが設置された排水口を覆う着脱可能な排水口蓋とを有するシンクの排水口部であって、
前記排水口蓋は、その裏面に環状のリブが形成され、前記裏面を上にした状態で、前記リブで囲まれたリブ内スペースに洗浄液を貯留可能にし、
前記網かごは前記排水口蓋の前記リブ内スペースに入ることができるようになっていることを特徴とするシンクの排水口部。
【請求項２】
排水中のゴミを捕集するための着脱可能な網かごと、この網かごが設置された排水口を覆う着脱可能な排水口蓋とを有するシンクの排水口部の網かごに付着したぬめりの除去方法であって、
前記排水口蓋は、その裏面に環状のリブが形成され、前記裏面を上にした状態で、前記リブで囲まれたリブ内スペースに洗浄液を貯留可能になっていて、
前記排水口蓋の前記リブ内スペースに貯留された前記洗浄液に前記網かごを浸漬させることを特徴とするシンク排水口部の網かごに付着したぬめりの除去方法。
【発明の詳細な説明】
【技術分野】
【０００１】
本発明は、排水中のゴミを捕集するための網かごと、この網かごが設置された排水口を覆う排水口蓋とを有するシンクの排水口部およびこれの網かごに付着したぬめりの除去方法に関する。
【背景技術】
【０００２】
システムキッチンなどキッチンにおいて、そのシンクの排水口部には、排水中のゴミを捕集するための着脱可能な網かごと、この網かごが設置された排水口を覆う着脱可能な排水口蓋とが設けられている。
網かごは、排水を流してそれに含まれるゴミを捕集するので、いわゆる「ぬめり」が発生し易い。この「ぬめり」は、網かごに食材や食物の残渣などが付着し、それに雑菌が繁殖して生じたものである。
キッチンを清潔に保つためには、網かごのぬめりを除去する必要があるが、このぬめりが発生した網かごに直接手を触れるのは、ユーザにとってなるべく回避したいものである。
【０００３】
そこで、たとえば、特許文献１（実開平６−４６０６９号公報）に記載の技術では、殺菌性の液体をぬめりに触れさせて雑菌の繁殖を抑制することにより、ぬめりの発生を防止している。
【先行技術文献】
【特許文献】
【０００４】
【特許文献１】実開平６−４６０６９号公報
【発明の概要】
【発明が解決しようとする課題】
【０００５】
特許文献１に記載の技術は、電気分解装置で生成された酸性イオン水を、排水装置本体内に噴出させ、この排水装置本体および排水装置本体内に配設された網かごなどを殺菌洗浄している。
そのため、網かごの他に、網かごを殺菌洗浄するための構成部材が多数必要であり、コストアップにつながっていた。
【０００６】
本発明は、このような課題を解決するためになされたもので、洗浄液に網かごを浸漬させることにより、この網かごに付着したぬめりを洗浄液で除去して、ユーザの手を汚すことなく網かごのぬめりを容易に除去することができ、また、洗浄用具や洗浄用部品を別途準備する必要がなく外観的にも良好なシンクの排水口部およびこれの網かごに付着したぬめりの除去方法を提供することを目的とする。
【課題を解決するための手段】
【０００７】
上述の目的を達成するため、本発明にかかるシンクの排水口部は、排水中のゴミを捕集するための着脱可能な網かごと、この網かごが設置された排水口を覆う着脱可能な排水口蓋とを有するシンクの排水口部であって、前記排水口蓋は、その裏面に環状のリブが形成され、前記裏面を上にした状態で、前記リブで囲まれたリブ内スペースに洗浄液を貯留可能にし、前記網かごは前記排水口蓋の前記リブ内スペースに入ることができるようになっている。
シンク排水口部の網かごに付着したぬめりの除去方法は、前記排水口蓋の前記リブ内スペースに貯留された前記洗浄液に前記網かごを浸漬させている。
好ましい実施態様にかかるシンクの排水口部は、排水中のゴミを捕集するための着脱可能な網かごと、この網かごが設置された排水口を覆う着脱可能な排水口蓋とを有するシンクの排水口部であって、前記排水口蓋の裏面に環状のリブを形成し、前記排水口蓋の前記裏面を上にした状態で、前記リブで囲まれたリブ内スペースに洗浄液を貯留可能にし、このリブ内スペースに貯留された前記洗浄液に前記網かごを浸漬させて、この網かごに付着したぬめりを前記洗浄液で除去できるようにしている。
前記排水口蓋の前記裏面は平面状をなし、前記リブは円筒状をなして前記裏面に一体形成されているのが好ましい。
前記リブを有する前記排水口蓋は、前記網かごが設置された排水口を覆って前記排水口部に取付けられたときには、前記網かごが設置された前記排水口を外観的に見えなくするためのカバーの機能を発揮し、前記排水口蓋をひっくり返して前記リブ内スペースに前記洗浄液を貯留したときには前記網かごを洗浄するための洗浄用具の機能を発揮する。
また、前記リブは、前記排水口蓋の剛性を向上させるための補強材の機能と、前記洗浄液を貯留するための容器の機能とを有している。
シンクの排水口部を有するキッチンは、前記網かごと前記排水口蓋が前記排水口部にそれぞれ着脱可能に取付けられている。
【発明の効果】
【０００８】
本発明にかかるシンクの排水口部は、上述のように構成したので、前記排水口蓋のリブ内スペースに貯留された洗浄液に網かごを浸漬させて、この網かごに付着したぬめりを洗浄液で除去することができ、これにより、ユーザの手を汚すことなく網かごのぬめりを容易に除去することができ、また、洗浄用具や洗浄用部品を別途準備する必要がなく外観的にも良好である。
シンク排水口部の網かごに付着したぬめりの除去方法は、上述のように構成したので、網かごに付着したぬめりを洗浄液で除去して、ユーザの手を汚すことなく網かごのぬめりを容易に除去することができ、また、洗浄用具や洗浄用部品を別途準備する必要がなく外観的にも良好である。
【図面の簡単な説明】
【０００９】
【図１】図１ないし図１０は本発明の実施例を示す図で、図１はシステムキッチンの斜視図である。
【図２】システムキッチンにおけるシンクの斜視図である。
【図３】シンクの平面図である。
【図４】図３のIV−IV線断面図である。
【図５】排水口蓋と網かごの斜視図である。
【図６】排水口蓋と網かごをひっくり返した斜視図である。
【図７】排水口蓋で網かごを洗浄する手順を示す斜視図である。
【図８】排水口蓋で網かごを洗浄する手順を示す斜視図である。
【図９】洗浄時の排水口蓋と網かごの断面図である。
【図１０】変形例にかかる洗浄時の排水口蓋と網かごの断面図で、図９相当図である。
【発明を実施するための形態】
【００１０】
本発明にかかるシンクの排水口部は、排水中のゴミを捕集するための着脱可能な網かごと、網かごが設置された排水口を覆う着脱可能な排水口蓋とを有している。排水口蓋は、その裏面に環状のリブが形成され、裏面を上にした状態で、リブで囲まれたリブ内スペースに洗浄液を積極的に貯留可能にし、網かごは排水口蓋のリブ内スペースに入ることができるようになっている
これにより、排水口蓋のリブ内スペースに貯留された洗浄液に網かごを浸漬させて、この網かごに付着したぬめりを洗浄液で除去することができ、したがって、ユーザの手を汚すことなく網かごのぬめりを容易に除去することができ、また、洗浄用具や洗浄用部品を別途準備する必要がなく外観的にも良好な排水口部を得るという目的が実現される。
【００１１】
本発明におけるキッチンとしては、台所に設置される複合厨房家具の一種であるシステムキッチンが一般的であるが、セクショナルキッチンや台所の流し台であってもよい。下記の実施例では、システムキッチンを例にとって説明する。
【実施例】
【００１２】
以下、本発明にかかる実施例を図１ないし図１０を参照して説明する。
図１はシステムキッチンの斜視図、図２はシステムキッチンにおけるシンクの斜視図、図３はシンクの平面図、図４は図３のIV−IV線断面図、図５は排水口蓋と網かごの斜視図、図６は、排水口蓋と網かごをひっくり返した斜視図、図７，図８は、それぞれ排水口蓋で網かごを洗浄する手順を示す斜視図、図９は、洗浄時の排水口蓋と網かごの断面図である。
【００１３】
図１に示すように、キッチンとしてのシステムキッチン１は、全体的に左右方向に延びた所定の形状（ここでは、矩形状）をなして、台所やダイニングルームに設置されている。システムキッチン１は、左右方向に延びた矩形状のキャビネット２と、キャビネット２の上部を覆って取付けられた天板３とを有している。天板３の上面がワークトップになっている。
キャビネット２は床面上に設置されている。キャビネット２は、コンロキャビネット４，一方の調理台キャビネット５，シンクキャビネット６および他方の調理台キャビネット７などが順次並設された構成であり、ワークトップを構成する天板３が、キャビネット４，５，６，７の上部を覆って取付けられている。キャビネット２には、各種の形状，構造の複数の引き出しが、引き出し収納自在に設けられている。
【００１４】
コンロキャビネット４には、グリル１８を有するコンロ８と、引き出しが設けられている。一方の調理台キャビネット５は複数の引き出しを有している。シンクキャビネット６の上部のワークトップには、シンク９と水栓装置１２が設けられている。シンクキャビネット６は、シンク９と水栓装置１２の他に引き出しを有しており、シンク９の前方には幕板が設けられている。
他方の調理台キャビネット７は、ビルトインにより設けられた食器洗い乾燥機と、引き出しとを有している。一方の調理台キャビネット５および他方の調理台キャビネット７の上部の各ワークトップは、それぞれ調理台になっている。
こうして、システムキッチン１は、コンロキャビネット４，一方の調理台キャビネット５，シンクキャビネット６および他方の調理台キャビネット７が複合した複合厨房家具を構成している。
【００１５】
図２ないし図９に示すように、システムキッチン１において、排水口部材１５と網かご１０と排水口蓋１６とを有する排水口部１１が、シンク９の底部に設けられている。排水口部１１を介して、シンク９内の排水１４を下方に排出する。排水口部１１には、排水１４中のゴミ（たとえば、食材や食物の切れ端）を捕集するための網かご１０と、網かご１０が設置された排水口を覆う排水口蓋１６とが、それぞれ着脱可能に取付けられている。
排水口部材１５は、シンク９の底板１３に一体的にまたは別体で形成され、所定形状に一体形成されている。網かご１０は、排水口部材１５に着脱可能に取付けられている。排水口蓋１６は、網かご１０が設置された排水口を覆って排水口部材１５に着脱可能に取付けられ、その周囲を排水１４が通過可能になっている。網かご１０と排水口蓋１６は、金属、合成樹脂、またはそれらの複合材により形成されている。
【００１６】
排水口蓋１６を取り除けば網かご１０が露出し、さらに網かご１０を取り除けば、排水口部材１５の内部とこの排水口部材１５に接続された排水用配管１７とが露出するようになっている。
排水口部材１５に網かご１０を取付け、網かご１０が設置された排水口を覆って排水口蓋１６を排水口部材１５に取付ければ、シンク９は使用可能状態になる。そして、シンク９に水栓装置１２などから水を流せば、ゴミを含むことがある排水１４は、排水口蓋１６の周囲を通過して網かご１０に流入する。
網かご１０で排水１４中のゴミが捕集され、ゴミが除去された排水１４は、網かご１０を通過し、排水用部材１５に接続された排水用配管１７を流れて排出される。
【００１７】
排水口部１１において、排水口蓋１６は、その裏面２１には環状のリブ２０が形成され、排水口蓋１６の裏面２１を上にした状態で、リブ２０で囲まれたリブ内スペースＳに洗浄液Ｌを積極的に貯留可能にし、網かご１０は排水口蓋１６のリブ内スペースＳに入ることができるようになっている。
シンク排水口部１１の網かご１０に付着したぬめり２２の除去方法は、排水口蓋１６のリブ内スペースＳに貯留された洗浄液Ｌに網かご１０を浸漬させている。
その結果、網かご１０に付着したぬめり２２を洗浄液Ｌで除去できるので、ユーザの手を汚すことなく網かご１０のぬめり２２を除去することができ、また、排水口蓋１６以外の洗浄用具や洗浄用部品を別途準備する必要がない。排水口蓋１６を排水口部１１に取付けた状態では、リブ２０は外部から見えないので、排水口部１１は外観的にも良好である。
【００１８】
本実施例の排水口蓋１６において、その裏面２１は平面状をなし、リブ２０は円筒状をなして裏面２１に一体形成されている。リブ２０は、排水口蓋１６の裏面２１に対して垂直に突出形成され、同一厚みの無端円環形状を有している。このように、排水口蓋１６にリブ２０を追加しても、排水口蓋１６は極めてシンプルな形状である。
リブ２０は、排水口蓋１６の剛性を向上させるための補強材の機能と、洗浄液Ｌを積極的に貯留するための容器の機能とを有している。このように、本実施例のリブ２０は、二つの機能を発揮することができる。
【００１９】
排水口部１１を清掃するときには、排水口蓋１６と網かご１０を排水口部材１５から取り外した後（図５）、網かご１０をひっくり返して、網かご１０で捕集された食材や食物の切れ端などを取り除く（図６）。
次いで、図７に示すように、網かご１０を元の姿勢に戻すと、網かご１０にはぬめり２２が付着したままの状態になっている。他方、排水口蓋１６をひっくり返すと、裏面２１とリブ２０とで、リブ内スペースＳを有するいわゆる「たらい」が形成され、このたらいのリブ内スペースＳに洗浄液Ｌを積極的に貯留する。次いで、矢印Ｂに示すように、網かご１０を排水口蓋１６に近づける。
【００２０】
そして、図８，図９に示すように、排水口蓋１６のリブ内スペースＳに貯留された洗浄液Ｌに、網かご１０を浸漬させ、この状態で所定時間のあいだ放置する。こうすれば、網かご１０に付着したぬめり２２は、洗浄液Ｌの洗浄作用により網かご１０から除去される。
たとえば、網かご１０を洗浄液Ｌに浸漬した状態で一晩（たとえば、数時間）漬け置きすれば、洗浄液Ｌの洗浄作用により、ぬめり２２が網かご１０から容易に除去される。除去されたぬめり２２は、住宅で発生する生ゴミとして廃棄することができる。
【００２１】
図１０は、本実施例の変形例にかかる、洗浄時の排水口蓋１６ａと網かご１０の断面図で、図９相当図である。
図２，図１０に示すように、この変形例でも、排水口部１１には、排水１４中のゴミを捕集するための網かご１０と、網かご１０が設置された排水口を覆う排水口蓋１６ａとが、それぞれ着脱可能に取付けられている。網かご１０と排水口蓋１６ａは、金属、合成樹脂、またはそれらの複合材により形成されている。
排水口蓋１６ａは、その裏面２１には環状のリブ２０ａが形成され、裏面２１を上にした状態で、リブ２０ａで囲まれたリブ内スペースＳに洗浄液Ｌを積極的に貯留可能にしている。そして、網かご１０は排水口蓋１６ａのリブ内スペースＳに入ることができるようになっている。
シンク排水口部１１の網かご１０に付着したぬめり２２の除去方法は、排水口蓋１６ａのリブ内スペースＳに貯留された洗浄液Ｌに網かご１０を浸漬させている。排水口部１１を清掃する手順は、前記実施例における上述の手順と同様である。
【００２２】
排水口蓋１６ａにおいて、その裏面２１は平面状をなし、リブ２０ａは裏面２１に一体形成されている。リブ２０ａは、排水口蓋１６ａの裏面２１に突出形成されて無端円環形状をなしており、裏面２１とリブ２０ａとでなす内面２３は、網かご１０の網２４の曲面形状に沿うことができるような湾曲に形成されている。この内面２３の湾曲は、裏面２１の部分は平面でリブ２０ａの内側面が湾曲の場合と、裏面２１とリブ２０ａとでなす内面２３全体が湾曲の場合とがある。
このように、裏面２１とリブ２０ａとでなす内面２３は隅がなく丸い湾曲になっているので、網かご１０は、排水口蓋１６ａの内面２３に嵌合することができる。したがって、排水口部１１を清掃する際に、ユーザは、網かご１０を排水口蓋１６ａの内面２３に嵌合させた状態で力を入れて網かご１０を排水口蓋１６ａの内面２３に当てて擦ることができる。その結果、網かご１０にぬめり２２が強く付着している場合でも、このぬめり２２を網かご１０から容易に除去することができる。
排水口蓋１６ａの内面２３は隅部のない湾曲なので、排水口蓋１６ａ自体を清掃する際にも、皿を洗うように容易に洗って、洗い残しがないように綺麗にすることができる。
排水口蓋１６ａにリブ２０ａを追加しても、排水口蓋１６ａは極めてシンプルな形状である点と、リブ２０ａが、排水口蓋１６ａの剛性を向上させるための補強材の機能と、洗浄液Ｌを積極的に貯留するための容器の機能とを有している点は、前記実施例と同様である。
【００２３】
図２ないし図１０において、リブ２０，２０ａを有する排水口蓋１６，１６ａは、網かご１０が設置された排水口を覆って排水口部１１に取付けられたときには、網かご１０が設置された排水口を外観的に見えなくするためのカバーの機能を発揮する。
また、排水口蓋１６，１６ａをひっくり返して、リブ内スペースＳに洗浄液Ｌを貯留するときには、網かご１０を洗浄するための洗浄用具（洗浄用具としての容器）の機能を発揮する。
このように、排水口蓋１６，１６ａは、リブ２０，２０ａを設けることにより、二つの機能を発揮可能になる。したがって、網かご１０と排水口蓋１６，１６ａは、網かご１０の洗浄に関して自己完結している。
【００２４】
本実施例（変形例を含む。以下同じ）によれば、網かご１０と排水口蓋１６，１６ａ以外に洗浄用具や洗浄用部品は不要であり、ユーザの手を汚すことなく網かご１０のぬめり２２を容易に除去することができる。その結果、洗浄用具を保管する必要がなく、また洗浄用部品の紛失の恐れもない。
網かご１０を簡単な作業で洗浄できるので、排水口部１１を頻繁に清掃してぬめり２２を除去し、システムキッチン１を常時清潔に保つことができる。
排水口蓋１６，１６ａを排水口部１１に取付けた状態では、リブ２０，２０ａは排水口蓋１６，１６ａの下方に隠れているので、リブ２０，２０ａが調理などの作業の邪魔になることはなく、また、リブ２０，２０ａが上から見えないので外観的にも良好である。
【００２５】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２６】
本発明は、台所に設置される複合厨房家具の一種であるシステムキッチンやセクショナルキッチンの他に、台所の流し台などの厨房家具に適用可能である。
【符号の説明】
【００２７】
１      システムキッチン（キッチン）
１０    網かご
１１    排水口部
１４    排水
１６，１６ａ    排水口蓋
２０，２０ａ    リブ
２１    裏面
２２    ぬめり
Ｌ      洗浄液
Ｓ      リブ内スペース
【図１】
0005634044.tif 000002
【図２】
0005634044.tif 000003
【図３】
0005634044.tif 000004
【図４】
0005634044.tif 000005
【図５】
0005634044.tif 000006
【図６】
0005634044.tif 000007
【図７】
0005634044.tif 000008
【図８】
0005634044.tif 000009
【図９】
0005634044.tif 000010
【図１０】
0005634044.tif 000011